(57)【要約】  【課題】  この発明は、後方排気レイアウトを採用した横置きの車両用エンジンの吸気装置において、排気管の熱気が滞留する場合であっても、吸気管周りの雰囲気温度を下げて、吸気温度の上昇を抑えることで、ノッキングの発生を未然に防止できる車両用エンジンの吸気装置を提供することを目的とする。  【解決手段】  吸気マニホールド２１…の上方空間を、カバー部材４０で仕切ることにより、導風空間Ｚを構成し、その導風空間Ｚを利用して、吸気マニホールド２１…の後端部分まで車両前方の走行風を案内する。  【選択図】  図２
2005282488.tif 000002
【特許請求の範囲】
【請求項１】
車両前部に、長手方向を車幅方向に向けて多気筒のエンジンを配置した車両用エンジンの吸気装置であって、
エンジンの車両後方側に接続され、車両後方に延びる排気管と、
エンジンの車両前方側に接続され、エンジンの上方を延び、前記排気管の上方位置まで車両後方側に突出する吸気管と、
該吸気管の上方に位置して所定の導風空間を形成し、前端を車両の前後方向で見て吸気管の前端近傍まで延ばして走行風導入部とし、後端を車両の前後方向で見て吸気管の後端を覆うように後方まで延ばし、吸気管の下方まで廻り込ませて走行風案内部としたカバー部材とを備えた
車両用エンジンの吸気装置。
【請求項２】
前記カバー部材の走行風排出口を、排気管の上方位置領域外に設定した
請求項１記載の車両用エンジンの吸気装置。
【請求項３】
前記吸気管が各気筒に接続される吸気分岐管を、車幅方向に複数有し、該吸気分岐管のうち隣接する吸気分岐管の間を繋いでエアガイド板部を構成した
請求項１又は２記載の車両用エンジンの吸気装置。
【請求項４】
前記カバー部材の上面を、エンジン本体を覆う化粧カバーとして兼用した
請求項１〜３記載の車両用エンジンの吸気装置。
【請求項５】
前記カバー部材を、樹脂成形品で構成した
請求項１〜４記載の車両用エンジンの吸気装置。
【発明の詳細な説明】
【技術分野】
【０００１】
この発明は、車両に搭載されるエンジンの吸気温度を低減する吸気装置、特に、吸気管周辺の温度上昇を抑えてエンジンの吸気温度の低減を図る吸気装置に関する。
【背景技術】
【０００２】
近年、厳しい環境基準を満たすため、車両において様々な対応が求められている。その一つとして排ガス規制の対応がある。
【０００３】
車両前部にエンジンの長手方向を車幅方向に向けて配置する、横置きエンジンタイプの車両においても、この排ガス規制の対応のため、車両後方側から排気を行う、所謂「後方排気」レイアウトが採用されつつある。なぜなら、この後方排気レイアウトによれば、排気管の直下流に設けた排気浄化装置（キャタライザー）を、走行風の影響を受けにくくすることができるため、触媒の早期活性化を図る上で有利となるからである。
【０００４】
ところで、「後方排気」のエンジンでは、吸気管をエンジン前方側に接続することになるが、衝突安全の観点からバンパーとエンジンとの間には、できるだけ大きなクラッシュスペースを設けなければならないため、エンジン前方には、所定長さを有する吸気管を配置することが困難である。
【０００５】
そこで、吸気管をエンジンの上方側に配置することが考えられる。下記特許文献にも、吸気管をエンジンの上方側に配置したものが開示されている。
【０００６】
ただし、エンジンの上方側もドライバーの視認性を確保するためボンネット高をあまり高くできない。このため、吸気管の長さを確保するためには、吸気管を車両後方側まで突出させる必要がある。前述の特許文献１でも、吸気管を車両後方側まで突出したものを開示している。
【０００７】
【特許文献１】特許第４４６３６２１号公報
【発明の開示】
【発明が解決しようとする課題】
【０００８】
もっとも、このように吸気管を車両後方側まで突出させた構造を採用すると、大きな問題が生じることになる。それは、走行停止時などに排気管から上昇する熱気が直接に吸気管に接触してしまうことになり、このことが吸気温度を上昇させ、エンジンにノッキングを生じさせてしまうといった問題である。
【０００９】
この対策としては、排気管の上方に遮熱板を設け、その上方の吸気管に排気管から上昇する熱気が直接接触しないように構成することが考えられる。
【００１０】
しかし、この問題は、エンジンとダッシュパネルの間という狭い空間に排気管の熱気が滞留することによって生じるものであることから、単に遮熱板で遮熱するだけでは、吸気管周りの雰囲気温度を下げることはできず、吸気温度の上昇を抑えるには十分ではなかった。
【００１１】
そこで、この発明は、後方排気レイアウトを採用した横置きの車両用エンジンの吸気装置において、排気管の熱気が滞留する場合であっても、吸気管周りの雰囲気温度を下げて、吸気温度の上昇を抑えることで、ノッキングの発生を未然に防止できる車両用エンジンの吸気装置を提供することを目的とする。
【課題を解決するための手段】
【００１２】
この発明による車両用エンジンの吸気装置は、車両前部に、長手方向を車幅方向に向けて多気筒のエンジンを配置した車両用エンジンの吸気装置であって、エンジンの車両後方側に接続され、車両後方に延びる排気管と、エンジンの車両前方側に接続され、エンジンの上方を延び、前記排気管の上方位置まで車両後方側に突出する吸気管と、該吸気管の上方に位置して所定の導風空間を形成し、前端を車両の前後方向で見て吸気管の前端近傍まで延ばして走行風導入部とし、後端を車両の前後方向で見て吸気管の後端を覆うように後方まで延ばし、吸気管の下方まで廻り込ませて走行風案内部としたカバー部材とを備えたものである。
【００１３】
上記構成によれば、排気管をエンジンの車両後方側に接続する一方、吸気管をエンジンの車両前方側に接続し、エンジンの上方を延びて排気管の上方位置まで車両後方側に突出させる。そして、カバー部材を吸気管の上方に位置させて導風空間を形成し、前端の走行風導入部から走行風を取り入れ、後端の走行風案内部によって、吸気管の後端下方部分まで走行風を導くことになる。
【００１４】
このように、カバー部材によって、車両前方の走行風を、吸気管の後端下方部分まで導くことができるため、エンジンとダッシュパネルの間という狭い空間に排気管の熱気が滞留したとしても、走行風により吸気管周りの雰囲気温度を下げることができる。
【００１５】
また、走行停止時には、カバー部材により、上昇する排気管の熱気が直接吸気管に作用するのを抑制することができる。
【００１６】
なお、このカバー部材は、吸気管の後端下方部分まで走行風を導くものであれば、吸気管と一体構造として構成するものであってもよい。
【００１７】
この発明の一実施態様においては、前記カバー部材の走行風排出口を、排気管の上方位置領域外に設定したものである。
【００１８】
上記構成によれば、排気管の上方位置領域外の走行風排出口からカバー部材内の走行風が排出される。
【００１９】
このように、排気管の上方位置領域外に走行風排出口を設けたことで、車両停車時等に、排気管から上昇する熱気が走行風排出口からカバー部材内に逆流することはない。このため、確実に吸気管周りの雰囲気温度を下げることができ、吸気温度の上昇を防ぐことができる。
【００２０】
この発明の一実施態様においては、前記吸気管が各気筒に接続される吸気分岐管を、車幅方向に複数有し、該吸気分岐管のうち隣接する吸気分岐管の間を繋いでエアガイド板部を構成したものである。
【００２１】
上記構成によれば、隣接する吸気分岐管の間をエアガイド板部で繋ぐことにより、吸気管自体を一体のエアガイド部材とすることができる。すなわち、吸気分岐管の間から走行風が漏れないので、吸気管の上方空間を確実に導風空間とすることができるのである。
【００２２】
このように、吸気管自体を一体のエアガイド部材とするため、前述のカバー部材と相俟って、確実に吸気管の後端下方部分まで走行風を案内することができる。
【００２３】
よって、より確実に吸気管周りの雰囲気温度を下げることができ、吸気温度の上昇を防ぐことができる。
【００２４】
この発明の一実施態様においては、前記カバー部材の上面を、エンジン本体を覆う化粧カバーとして兼用したものである。
【００２５】
上記構成によれば、カバー部材をエンジン本体を覆う化粧カバーとして兼用することができるため、一つの部材で、吸気管周りの雰囲気温度を下げるという機能を持たせつつも、エンジンルーム内の見栄え向上を図る機能も果たさせることができる。よって、別途、別の部材を設けなくても、それぞれの機能を得ることができる。
【００２６】
この発明の一実施態様においては、前記カバー部材を、樹脂成形品で構成したものである。
【００２７】
上記構成によれば、カバー部材を樹脂製とすることで、金属製のように熱を持つおそれがない。このため、走行風を導く際に、その走行風を加熱してしまうおそれもない。よって、確実に走行風による冷却効果を確保することができる。
【発明の効果】
【００２８】
この発明によれば、カバー部材によって、車両前方の走行風を、吸気管の後端下方部分まで導くことができるため、エンジンとダッシュパネルの間という狭い空間に排気管の熱気が滞留したとしても、走行風により吸気管周りの雰囲気温度を下げることができる。
【００２９】
また、走行停止時には、カバー部材により、上昇する排気管の熱気が直接吸気管に作用するのを抑制することができる。
【００３０】
よって、後方排気レイアウトを採用した横置きの車両用エンジンの吸気装置において、排気管の熱気が滞留する場合であっても、吸気管周りの雰囲気温度を下げて、吸気温度の上昇を抑えることで、ノッキングの発生を未然に防止できる車両用エンジンの吸気装置を提供することができる。
【発明を実施するための最良の形態】
【００３１】
以下、図面に基づいてこの発明の実施形態を詳述する。
【００３２】
図１は、本実施態様の車両用エンジンの吸気装置を採用したエンジン１の全体平面図、図２は図１のＡ−Ａ線矢視断面部分を含んだ全体側面図、図３はエンジン１の車両前方からの正面図である。
【００３３】
本実施態様の吸気装置を採用したエンジン１は、車両前部の設けたエンジンルームＥ内に設置され、長手方向、すなわちクランク軸を車幅方向に向けて横置きに配置している。また、このエンジン１の車両前方側には、ラジエータユニット２を配設し、エンジン冷媒等を冷却するように構成している。
【００３４】
また、エンジン１の側部上方には、エンジン１に取り込む空気（吸気）を浄化するエアクリーナ３を配置し、このエアクリーナ３のエンジン１側には吸気音を低減するレゾネータ４を配設している。
【００３５】
さらに、図２でエンジン１の上方に破線で示しているのは、前下がりに傾斜したボンネットライン５であり、また、ラジエータユニット２の前方に示しているのは、エンジンルームＥ内に車両前方の外気を導入するラジエータグリル６と車両前端に装着されるバンパー７であり、そして、エンジン１の後方に示しているのは、キャビンＣとエンジンルームＥを上下方向に延びて仕切るダッシュパネル８である。
【００３６】
本実施態様のエンジン１は、直列４気筒エンジン１であり、シリンダーが内部に設けられたシリンダーブロック１１、動弁系や吸排気ポート等が内部に設けられたシリンダーヘッド１２、このシリンダーヘッド１２を封鎖するヘッドカバー１３、さらにシリンダーブロック１１の下部でエンジンオイルを受けるオイルパン１４によって構成している。
【００３７】
このうち、シリンダーヘッド１２には、車両前方側面に吸気管２０を、車両後方側面に排気管３０をそれぞれ接続し、所謂「前方吸気後方排気」レイアウト構造を採用している。
【００３８】
車両前方側面に接続した吸気管２０は、各気筒ごとに対応して設けられた４本の吸気マニホールド２１…（吸気分岐管）と、吸気を一時溜めておくサージタンク２２（吸気集合部）とから構成され、このうち４本の吸気マニホールド２１…は、シリンダーヘッド１２の前方側面から上方に向かって湾曲し、ヘッドカバー１３の上方を車両後方側に向かって延び、排気管３０の上方位置まで突出した後、再度下方に湾曲して、サージタンク２２に合流するように構成している。
【００３９】
このようにして、吸気マニホールド２１…の長さを確保することで、吸気管長を長くすることができるため、エンジン１の低中速回転域の吸気慣性にうまく適合させることができ、低中速域において適切な駆動トルクを確保することができる。
【００４０】
また、サージタンク２２は車幅方向に延びる細長い箱状をなしており、各吸気マニホールド２１…に吸気を供給している。
【００４１】
なお、この４本の吸気マニホールド２１…とサージタンク２２は、樹脂で成形された樹脂成形品であり、複数の分割パーツを組み合わせることで構成されるものである。
【００４２】
さらに、このサージタンク２２の上流の長手方向端部には、スロットル弁を収容したスロットルボディ２３が連結されており、このスロットルボディ２３は吸気ダクト２４を介して、前述のエアクリーナ３に連なっている。
【００４３】
車両後方側面に接続した排気管３０は、各気筒ごとに対応して設けられた４本の排気マニホールド３１…（図２では1本のみを開示）と、その合流部に設けられ排気ガスを浄化するキャタライザー（触媒）３２と、その下流で車両後方に延びる排気パイプ３３とから構成される。なお、この排気マニホールド３１…や排気パイプ３３等の排気管３０側には、周辺部品（ハーネス、パイピング等）を輻射熱から保護するために遮熱部材を設けてもよい。
【００４４】
このうち、キャタライザー３２は、排気マニホールド３１…の直下流に設けることで、走行風の影響を受けにくくして、触媒の早期活性化を図っている。
【００４５】
しかし、このキャタライザー３２は、加熱されることで浄化性能が向上するため、必然的に大きな発熱量をもつことになる。特に、排気マニホールド３１…から流出する燃焼直後の排気ガスは高温であるため、その発熱量は大きなものとなる。
【００４６】
このように高温に発熱する排気管３０を、エンジン１の車両後方側に配置することで、エンジン１とダッシュパネル８との間の狭い空間Ｓ内には、熱気が滞留することになる。このように熱気が滞留すると、その上方位置に突出した吸気マニホールド２１…やサージタンク２２に対して、上昇した熱気が接触することになる。
【００４７】
そこで、本実施態様では、吸気マニホールド２１…の上方に、吸気マニホールド２１…やサージタンク２２に対して、車両前方からエンジンルームＥ内に取込まれる走行風を導くカバー部材４０を設けている。
【００４８】
このカバー部材４０は、図１に示すように、車幅方向に配置された４つの吸気マニホールド２１…をほぼ全て覆うように車幅方向に延び、且つそれらの吸気マニホールド２１…の車両前方側から、吸気マニホールド２１…の車両後方側まで延びて、これら吸気マニホールド２１…との間で上下方向に所定の導風空間Ｚを構成して、車両前方の走行風を吸気マニホールド２１…の後端下方部分まで案内している。
【００４９】
すなわち、吸気マニホールド２１…の上方空間を、カバー部材４０で仕切ることにより、導風空間Ｚを構成し、その導風空間Ｚを利用して、吸気マニホールド２１…の後端下方部分まで車両前方の走行風を案内しているのである。
【００５０】
このカバー部材４０の具体的構造について、図４、図５を利用して、さらに説明する。図４は図３のＢ−Ｂ線矢視断面図。図５はカバー部材４０の全体斜視図である。
【００５１】
図５に示すように、本実施形態のカバー部材４０は、その前端に矩形形状の走行風導入部４１を設け、その後端に吸気マニホールド後端２１ａを覆うように湾曲形成した走行風案内部４２を設けている。この走行風案内部４２は、装着した際、吸気マニホールド２１…の後端下方部分まで廻り込むように構成している（図２参照）。
【００５２】
前述の走行風導入部４１は、吸気マニホールド前端の屈曲部２１ｂより前方に延びるリブ部４３でその周囲を構成し、走行風をカバー部材４０内に案内するように構成している。また、下側のリブ部４３の後端には、吸気マニホールド形状に一致させた凹部４３ａを形成し、下側のリブ部４３の後端が吸気マニホールド２１…に密着するように構成している。
【００５３】
また、カバー部材４０の本体部４４は、上方に膨出するように形成され、内部で吸気マニホールド２１…との間で所定間隔をもって前述の導風空間Ｚを構成している。
【００５４】
さらに、この本体部４４の両側端には、４つの吸気マニホールド２１…のうち両側端の吸気マニホールド２１Ａ、２１Ｂに沿って立設する側壁部４５を形成し、カバー部材４０内からエンジンルーム側方への走行風の漏れを防止している。
【００５５】
前述の走行風案内部４２は、前述のように、吸気マニホールド２１…の後端下方部分まで廻り込み、図２に示すように、ヘッドカバー１３の取付け位置まで延びて吸気マニホールド２１…の下部にその端部４２ａを当接させている。このように、走行風案内部４２の端部４２ａを当接させることにより、吸気マニホールド２１…周囲に排気管３０から上昇する熱気が接触しないようできるため、吸気マニホールド２１…やサージタンク２２の雰囲気温度の上昇を防止することができる。
【００５６】
また、このカバー部材４０の車両後方側の側部には、案内した走行風をエンジンルームＥ内の側方に排出する走行風排出口４６を設けている。このように走行風排出口４６を設けたことにより、カバー部材４０内の走行風を円滑に流動させることができ、走行風の案内をより促進することができる。
【００５７】
もっとも、本実施態様では、この走行風排出口４６をカバー部材４０の側部に設けている。それも、図１に示すように排気管３０の上方位置領域αから外れた位置に設けている。
【００５８】
このように、排気管３０の上方位置領域αから外れた位置に走行風排出口４６を設けることにより、排気管３０から上昇する熱気が、カバー部材４０内に逆流することがない。よって、カバー部材４０内の温度上昇を防いで、確実に吸気マニホールド２１…の雰囲気温度を低減することができる。
【００５９】
また、カバー部材４０の前部下方には、吸気マニホールド２１…の下側に位置して吸気マニホールド２１…の間からヘッドカバー１３側に漏れる走行風を、吸気マニホールド２１…の上方に案内する下側カバー部材５０を設けている。
【００６０】
この下側カバー部材５０も、前述の下側のリブ部４３と同様に、吸気マニホールド形状に一致させた凹部５１…をその前端に形成し、下側カバー部材５０の前端が吸気マニホールド２１…に密着するように構成している。
【００６１】
また、下側カバー部材５０の両側端にも吸気マニホールド２１…に沿って立設する側壁部５２を形成し、カバー部材４０内から走行風が漏れるのを防止している。
【００６２】
この吸気マニホールド２１…に対するカバー部材４０及び下側カバー部材５０の立設状態を示したのが、図４の断面図である。
【００６３】
この図に示すように、両側端に位置する吸気マニホールド２１Ａ、２１Ｂに対して、上方からカバー部材４０の側壁部４５を、シール部材４７を介して当接させ、下方から同様にシール部材５３を介して下側カバー部材５０の側壁部５２を当接させ両部材４０，５０を立設させている。
【００６４】
このように吸気マニホールド２１Ａ，２１Ｂも利用して、カバー部材４０や下側カバー部材５０を立設することで、吸気マニホールド２１Ａ，２１Ｂ自体も、導風空間Ｚを構成する部材として有効利用できる。
【００６５】
また、この図に示すように、下側カバー部材５０を別途設けたことにより、その他の吸気マニホールド２１…の全周を走行風に接触させることができるため、吸気温度をさらに低下させることが可能となる。
【００６６】
また、このカバー部材４０や下側カバー部材５０は、樹脂成形によって成形される樹脂成形品で構成され、金属製のように熱を持つおそれもないため、走行風を導く際に、その走行風を加熱してしまうおそれもない。
【００６７】
このように構成されたカバー部材４０と下側カバー部材５０は、図１、図２に示すような経路で走行風を吸気マニホールド２１…後端まで導いている。
【００６８】
すなわち、車両前方のラジエータグリル６からエンジンルームＥ内に導入された走行風は、カバー部材４０の走行風導入部４１からカバー部材４０と吸気マニホールド２１…との間の導風空間Ｚに導かれ、その導風空間Ｚに導かれた走行風は、車両後方側に延びる走行風案内部４２によって、吸気マニホールド後端２１ａ、及びその下方部分まで導かれる。そして、吸気マニホールド後端２１ａまで導かれた走行風は、走行風排出口４６から、エンジンルーム内に排出される。
【００６９】
こうした経路で、走行風を吸気マニホールド後端下方部分まで導くため、吸気管２０周りの雰囲気温度を下げることができ、吸気温度の上昇を抑えることができる。
【００７０】
次に、以上のように構成した本実施態様の作用及び効果について詳述する。  
このように、本実施態様の車両用エンジン１の吸気装置は、車両前部に、長手方向を車幅方向に向けて配置した車両用エンジン１の吸気装置であって、エンジン１の車両後方側に接続され、車両後方に延びる排気管３０と、エンジン１の車両前方側に接続され、エンジン１の上方を延び、前記排気管３０の上方位置まで車両後方側に突出する吸気管２０と、該吸気管２０の上方に位置して所定の導風空間Ｚを形成し、前端を吸気管２０の前端近傍まで延ばして走行風導入部４１とし、後端を吸気管２０の後端を覆うように後方まで延ばし、吸気管２０の下方まで廻り込ませて走行風案内部４２としたカバー部材４０とを備えたものである。
【００７１】
上記構成によれば、排気管３０をエンジン１の車両後方側に接続する一方、吸気管２０をエンジン１の車両前方側に接続し、エンジン１の上方を延びて排気管３０の上方位置まで車両後方側に突出させる。そして、カバー部材４０を吸気管２０の上方に位置させて導風空間Ｚを形成し、前端の走行風導入部４１から走行風を取り入れ、後端の走行風案内部４２によって、吸気管２０の後端下方部分まで走行風を導くことになる。
【００７２】
このように、カバー部材４０によって、車両前方の走行風を、吸気管２０の後端下方部分まで導くことができるため、エンジン１とダッシュパネル８の間という狭い空間Ｓに排気管３０の熱気が滞留したとしても、走行風により吸気管２０周りの雰囲気温度を下げることができる。
【００７３】
また、走行停止時には、カバー部材４０により、上昇する排気管３０の熱気が直接吸気管２０に作用するのを抑制することができる。
【００７４】
よって、後方排気レイアウトを採用した横置きの車両用エンジン１の吸気装置において、排気管３０の熱気が滞留する場合であっても、吸気管２０周りの雰囲気温度を下げて、吸気温度の上昇を抑えることで、ノッキングの発生を未然に防止できる。
【００７５】
また、この実施態様では、前記カバー部材４０の走行風排出口４６を、排気管３０の上方位置領域α外に設定したものである。
【００７６】
上記構成によれば、排気管３０の上方位置領域α外の走行風排出口４６からカバー部材４０内の走行風が排出される。
【００７７】
このように、排気管３０の上方位置領域α外に走行風排出口４６を設けたことで、車両停車時等に、排気管３０から上昇する熱気が走行風排出口４６からカバー部材４０内に逆流するおそれをなくすことができる。このため、確実に吸気管２０周りの雰囲気温度を下げることができ、吸気温度の上昇を防ぐことができる。
【００７８】
また、この実施態様では、前記カバー部材４０を、樹脂成形品で構成したものである。
【００７９】
上記構成によれば、カバー部材４０を樹脂製とすることで、金属製のように熱を持つおそれがない。このため、走行風を導く際に、その走行風を加熱してしまうおそれもない。よって、確実に走行風による冷却効果を確保することができる。
【００８０】
次に、図６〜図９に示す他の実施形態について説明する。図６は、本実施態様の車両用エンジン１の吸気装置を採用したエンジン１の全体平面図、図７はエンジン１の車両前方からの正面図、図８は図６のＣ−Ｃ線矢視断面を含んだ側面図、図９は図６のＤ−Ｄ線矢視断面を含んだ側面図である。
【００８１】
本実施形態の車両用エンジン１の吸気装置は、カバー部材１４０の形態が前述の実施態様と異なり、エアクリーナ３等その他の補機類も覆うように構成し、カバー部材１４０にエンジンルームＥ内の化粧カバーとしての機能も持たせたものである。
【００８２】
すなわち、吸気温度の上昇を防ぐという機能を有するカバー部材１４０に、エンジンルームＥ内の見栄え向上を図る化粧カバーとしての機能も持たせることにより、部品点数の削減を図り、コストダウンを図るものである。
【００８３】
なお、前述の実施態様と同様の構成要素については、同じ符号を付して説明を省略する。
【００８４】
本実施形態のカバー部材１４０は、図６に示すように、エンジン１及びエアクリーナ３等を覆うように、一部整備を行うために形成した切欠部１４０ａ，１４０ｂを除いて、エンジンルームＥのほぼ全域を覆う略四角形状のカバー体で構成している。
【００８５】
このカバー部材１４０の前端部分には、図７に示すように、吸気マニホールド２１…に走行風を導く走行風導入部１４１を車両前方に延びるように設け、その両側にも、車両後方側に走行風を導く第一外気導入部１５１及び第二外気導入部１５２を設けている。
【００８６】
そして、これらの導入部の側部にはそれぞれ側壁部１４１ａ，１５１ａ，１５２ａを設け、できるだけ車両前方から取込んだ走行風を、エンジンルームＥ側方に漏らさないように構成している。
【００８７】
また、カバー部材１４０の上面の各吸気マニホールド２１…間に対応する部分には、車両前後方向に延びる凹部１５２…を形成し、できるだけ吸気マニホールド２１…に沿って、走行風を車両後方側まで案内できるように構成している。
【００８８】
さらに、カバー部材１４０の走行風案内部１４２も、前述の実施形態と同様、吸気マニホールド後端２１ａを覆うように後方まで延ばし、吸気マニホールド２１…の下方まで廻り込むように構成している。
【００８９】
もっとも、その端部は吸気マニホールド２１…には当接せず、この端部から走行風をエンジンルームＥ内に排出するように構成している。
【００９０】
また、車幅方向に配置された各吸気マニホールド２１…間には、隣接する吸気マニホールド２１…間を繋ぐエアガイド板部１５４…を設けている。
【００９１】
このエアガイド板部１５４…は、図８にも示すように、吸気マニホールド前端の屈曲部２１ｂから上方に向かって設けられ、吸気マニホールド２１…の間からエンジン１のヘッドカバー１３側に走行風が漏れるのを防止して、吸気マニホールド２１…上方の導風空間Ｚに走行風を案内するように構成している。
【００９２】
このようにエアガイド板部１５４…を構成することにより、走行風を効果的にカバー部材１４０内の導風空間Ｚに案内することができるため、よりカバー部材１４０による吸気温度上昇の防止の効果を促進できる。
【００９３】
なお、図９で吸気マニホールド２１…の間のヘッドカバー１３上方に設けているのは、点火プラグ（図示せず）に高圧電流を供給するプラグキャップ１５である。
【００９４】
この実施態様においても、前述の実施態様と同様、図８、図９に示すように車両前方の走行風を、走行風導入部１４１からカバー部材１４０内の導風空間Ｚに導き、その導風空間Ｚに導かれた走行風を、車両後方側に延びる走行風案内部１４２によって、吸気マニホールドの後端２１ａ及びその下方部分まで導く。そして、吸気マニホールド後端２１ａまで導かれた走行風を、そのカバー部材１４０の端部からエンジンルームＥ内に排出する。
【００９５】
こうした経路で、走行風を吸気マニホールド後端２１ａまで導くため、本実施態様でも吸気管２０周りの雰囲気温度を下げることができ、吸気温度の上昇を抑えることができる。
【００９６】
次に、以上のように構成した本実施態様の作用及び効果について詳述する。
【００９７】
このように、本実施態様の車両用エンジン１の吸気装置は、カバー部材１４０の上面を、エンジン１本体を覆う化粧カバーとして兼用したものである。
【００９８】
上記構成によれば、カバー部材１４０をエンジン１本体を覆う化粧カバーとして兼用することができるため、一つの部材で、吸気管２０周りの雰囲気温度を下げるという機能を持たせつつも、エンジン１ルーム内の見栄え向上を図る機能も果たさせることができる。よって、別途、別の部材を設けなくても、それぞれの機能を得ることができ、部品点数の削減を図ることができる。
【００９９】
また、この実施態様では、前記吸気管２０を車幅方向に複数設け、該吸気管のうち隣接する吸気管２０の間を繋いでエアガイド板部１５４を構成したものである。
【０１００】
上記構成によれば、隣接する複数の吸気管２０の間をエアガイド板部１５４で繋ぐことにより、吸気管２０自体を一体のエアガイド部材とすることができる。すなわち、吸気管２０の間から走行風が漏れないので、吸気管２０の上方空間を確実に導風空間Ｚとすることができるのである。
【０１０１】
このように、吸気管２０自体をエアガイド部材とするため、前述のカバー部材１４０と相俟って、確実に吸気管２０の後端下方部分まで走行風を案内することができる。
【０１０２】
よって、より確実に吸気管２０周りの雰囲気温度を下げることができ、吸気温度の上昇を防ぐことができる。
【０１０３】
なお、その他の構成は、前述の実施態様と同様であるため、その他の作用効果については、前述の実施態様と同様である。
【０１０４】
なお、以上の実施態様では、カバー部材４０、１４０と吸気管２０を別体としているが、吸気管２０の後端部分まで走行風を導くものであれば、吸気管２０と一体構造として構成するものであってもよい。
【０１０５】
この発明は、前述の実施態様の構成のみに限定されるものではなく、その他様々な実施態様を含むものである。
【図面の簡単な説明】
【０１０６】
【図１】本発明の車両用エンジンの吸気装置を採用したエンジンの全体平面図。
【図２】図１のＡ−Ａ線矢視断面部分を含んだ全体側面図。
【図３】エンジンの車両前方からの正面図。
【図４】図２のＢ−Ｂ線矢視断面図。
【図５】カバー部材の全体斜視図。
【図６】他の実施態様のエンジンの全体平面図。
【図７】他の実施態様のエンジンの車両前方からの正面図。
【図８】図６のＣ−Ｃ線矢視断面を含んだ側面図。
【図９】図６のＤ−Ｄ線矢視断面を含んだ側面図。
【符号の説明】
【０１０７】
１…エンジン
２０…吸気管
３０…排気管
４０，１４０…カバー部材
４１，１４１…走行風導入部
４２，１４２…走行風案内部
Ｚ…導風空間
【図１】
2005282488.tif 000003
【図２】
2005282488.tif 000004
【図３】
2005282488.tif 000005
【図４】
2005282488.tif 000006
【図５】
2005282488.tif 000007
【図６】
2005282488.tif 000008
【図７】
2005282488.tif 000009
【図８】
2005282488.tif 000010
【図９】
2005282488.tif 000011